(57)【要約】  パーソナル記録装置用のグラフィカルディスプレイ（図３）であって、そのディスプレイは、所定方向に伸びるバー（３８）を含む。マーカ（５０）がそのバーを少なくとも２つの番組セクションと番組ポインタ（４４）に分割する。
2007523432.tif 000002
【特許請求の範囲】
【請求項１】
ビデオ信号の表示方法であって、
前記ビデオ信号を読み出す段階と、
所定方向に伸びたバーを含み少なくとも２つの番組セクションに分割するグラフィカルディスプレイを生成する段階と、
前記ビデオ信号に前記グラフィカルディスプレイを挿入する段階と、
前記ビデオ信号を出力する段階と、を有することを特徴とする方法。
【請求項２】
請求項１に記載の方法であって、
前記番組セクションはマーカにより画成されることを特徴とする方法。
【請求項３】
請求項２に記載の方法であって、
前記マーカは番組変化またはチャンネル変化のいずれかに対応することを特徴とする方法。
【請求項４】
請求項１に記載の方法であって、
前記番組セクションは番組のジャンルを示すように符号化された色であることを特徴とする方法。
【請求項５】
請求項１に記載の方法であって、
前記番組セクションの少なくとも１つは番組がコピープロテクトされていることを示すように符号化された色であることを特徴とする方法。
【請求項６】
請求項１に記載の方法であって、
前記番組セクションの少なくとも１つは、番組が保存されていることを示すように符号化された色であることを特徴とする方法。
【請求項７】
請求項１に記載の方法であって、
前記番組セクションの少なくとも１つは、信号が来ていないことを示すように符号化された色であることを特徴とする方法。
【請求項８】
請求項１に記載の方法であって、
前記グラフィックディスプレイは番組ポインタをさらに含むことを特徴とする方法。
【請求項９】
請求項１に記載の方法であって、
前記グラフィックディスプレイは、開始時間グラフィックと終了時間グラフィックをさらに含むことを特徴とする方法。
【請求項１０】
請求項１に記載の方法であって、
前記グラフィックディスプレイは、インフローアニメーションとアウトフローアニメーションをさらに含むことを特徴とする方法。
【請求項１１】
パーソナルビデオ記録装置であって、
ビデオ信号を格納するバッファと、
前記ビデオ信号を読み出して復号し、所定方向に伸びるバーを含みそのバーを少なくとも２つの番組セクションに分割するグラフィカルディスプレイを生成し、前記ビデオ信号に前記グラフィカルディスプレイを挿入するオーディオ・ビデオ符号化部と、
前記ビデオ信号を出力するスイッチと、を有することを特徴とする装置。
【請求項１２】
請求項１１に記載の装置であって、
前記番組セクションはマーカにより画成されることを特徴とする装置。
【請求項１３】
請求項１２に記載の装置であって、
前記マーカは番組変化またはチャンネル変化のいずれかに対応することを特徴とする装置。
【請求項１４】
請求項１１に記載の装置であって、
前記番組セクションはジャンルを示すように符号化された色であることを特徴とする装置。
【請求項１５】
請求項１１に記載の装置であって、
前記番組セクションの少なくとも１つは番組がコピープロテクトされていることを示すように符号化された色であることを特徴とする装置。
【請求項１６】
請求項１１に記載の装置であって、
前記番組セクションの少なくとも１つは、番組が保存されていることを示すように符号化された色であることを特徴とする装置。
【請求項１７】
請求項１１に記載の装置であって、
前記番組セクションの少なくとも１つは、信号が来ていないことを示すように符号化された色であることを特徴とする装置。
【請求項１８】
請求項１１に記載の装置であって、
前記グラフィックディスプレイは番組ポインタをさらに含むことを特徴とする装置。
【請求項１９】
請求項１１に記載の装置であって、
前記グラフィックディスプレイは、開始時間グラフィックと終了時間グラフィックをさらに含むことを特徴とする装置。
【請求項２０】
請求項１１に記載の装置であって、
前記グラフィックディスプレイは、インフローアニメーションとアウトフローアニメーションをさらに含むことを特徴とする装置。
【請求項２１】
パーソナル記録装置用のグラフィカルディスプレイであって、
所定方向に伸びるバーと、
前記バーを少なくとも２つの番組セクションに分割するマーカと、
番組ポインタと、を有することを特徴とするグラフィカルディスプレイ。
【発明の詳細な説明】
【発明の詳細な説明】
【０００１】
本発明は、２００４年１月８日に欧州特許庁に出願した仮出願第０４０７５００２．８号に基づく。
【０００２】
本発明は、「パーソナル記録装置における番組境界のマーキング」という名称の出願と関係している。
【０００３】
本発明は、パーソナルビデオ記録装置に関し、特に、格納される番組のグラフィカル表示を生成するパーソナル記録装置に関する。
【０００４】
パーソナルビデオ記録装置は、個人のテレビジョンの視聴経験をよくするために開発されてきた。このような装置として例えばＴＩＶＯ製品がある。パーソナルビデオレコーダは、一般的に、テレビジョン符号化システムに組み込まれたハードディスク装置を含んでいる。ハードディスク装置には通常バッファとして使うための領域が確保されている。バッファは、ユーザが現在見ている番組を連続的に格納するために使用する。このバッファリングによって、ユーザは見ている番組を巻き戻し、早送り、一時停止を含むトリックモードで操作することができる。
【０００５】
しかし、パーソナルビデオレコーダの一部ではバッファの容量が限られている。例えば、ＴＩＶＯではバッファ容量は３０分だけしかない。それゆえ、このような装置を３０以上一時停止させると、ユーザは番組の全体を見ることができなくなる。
【０００６】
上記の点を考慮して、本発明はパーソナル記録装置用のグラフィカル表示に関する。そのグラフィカル表示は所定方向に伸びるバーを含む。マーカがそのバーを少なくとも２つの番組セクションと番組ポインタに分割する。
【０００７】
本発明は、ビデオ信号を表示する方法にも関する。本発明は、前記ビデオ信号の読み出しを含む。  所定方向に伸びたバーを含み、少なくとも２つの番組セクションに分割されたグラフィカルディスプレイを生成する。そのグラフィカルディスプレイは、ビデオ信号に挿入される。さらに、そのビデオ信号は出力される。
【０００８】
本発明は、パーソナルビデオ記録装置にも関する。該装置は、ビデオ信号を格納するバッファを含む。前記ビデオ信号を読み出して復号するオーディオ・ビデオ符号化部は、所定方向に伸びるバーを含むグラフィカルディスプレイを生成し、そのバーを少なくとも２つの番組セクションに分割し、前記ビデオ信号に前記グラフィカルディスプレイを挿入する。前記ビデオ信号を出力するスイッチをさらに有する。
【０００９】
図面を参照する。同じ参照数字は同じものを表す。
【００１０】
本発明によるパーソナルビデオ記録装置の一例を図１に示す。図から分かるように、テレビジョン信号を受信するチューナ４が含まれている。ユーザはチューナ４により記録するチャンネルを選択し、選択した入力信号に対応するオーディオ・ビデオ成分を供給することができる。この例では、チューナ４は、放送システムやケーブルシステムを問わず使用できるアナログチューナである。しかし、別の実施例では、チューナはデジタルチューナであってもよい。
【００１１】
本装置に代替的な入力信号を供給するコネクタ８も含まれている。代替的な入力の例としては、ビデオカメラ、ＤＶＤプレーヤ、ＶＣＲ、セットトップボックス等の信号源からのビデオ信号がある。コネクタ８は本装置からの出力も供給する。このような出力の例としては、記録された番組を表示するテレビジョンまたはモニターがある。チューナ４とコネクタ８は両方ともオーディオ／ビデオＩＯマトリックススイッチ６への入力である。動作中、マトリックススイッチ６は、ユーザ入力に基づいてチューナ４またはコネクタ８のうちいずれか空の入力信号を選択する。マトリックススイッチ６は次に選択した信号を本装置の他の部分に振り分ける。マトリックススイッチ６は、本装置からの出力信号をコネクタ８に出力することも行う。
【００１２】
アナログ・デジタルコンバータ１０が含まれていて、入力信号のオーディオ成分をデジタルに変換する。デジタル・アナログコンバータ１２も含まれていて、出力信号のオーディオ成分をアナログに変換する。ビデオ入力プロセッサ２２も含まれており、入力信号のビデオ成分を処理する。ビデオ入力プロセッサ２２がビデオ成分のフォーマットを判断する。例えば、ビデオ成分はＲＧＢ信号、ＹＵＶ信号等であってもよい。後でビデオ成分を圧縮するために、そのフォーマットを知っておく必要がある。ビデオ入力プロセッサ２２は、コピープロテクション状態やそのビデオ成分がＰＡＬ信号なのかＮＴＳＣ信号なのかという情報を、ビデオ成分から取り出す。さらに、ビデオ入力プロセッサ２２は入力信号のビデオ成分をデジタルに変換もする。
【００１３】
この実施例では、オーディオ成分とビデオ成分はアナログからデジタルに、及びその逆に変換される。しかし、入力信号がデジタルである他の実施例では、この変換は必要ない。
【００１４】
図から分かるように、アナログ・デジタルコンバータ１０、デジタル・アナログコンバータ１２、およびビデオ入力プロセッサ２２は、オーディオ／ビデオデコーダ・エンコーダ２４に接続されている。オーディオ／ビデオデコーダ・エンコーダ２４を使用して、記憶装置の１つに記録する前に入力信号のオーディオ成分とビデオ成分を圧縮する。また、オーディオ／ビデオデコーダ・エンコーダ２４を使用して、記憶装置の１つから受け取った出力信号のオーディオ成分とビデオ成分を解凍する。一実施例において、オーディオ／ビデオデコーダ・エンコーダ２４はＭＰＥＧ−２符号化方式を実施する。しかし、他の実施例では、ＭＰＥＧ−１、ＭＰＥＧ−４、その他の好適な符号化方式を使用してもよい。
【００１５】
オーディオ／ビデオデコーダ・エンコーダ２４はその他の幾つかの機能も有する。例えば、オーディオ／ビデオデコーダ・エンコーダ２４を用いて２つの記憶装置２６、２８を制御する。さらに、オーディオ／ビデオデコーダ・エンコーダ２４を用いて、装置ごとに異なるグラフィカルディスプレイモードをサポートするグラフィックスを生成する。オーディオ／ビデオデコーダ・エンコーダ２４がこのグラフィックスを生成して、出力信号のビデオ成分に挿入する。それゆえ、そのグラフィックスは、出力信号が表示されている時は、そのビデオへのオーバーレイとして見える。より詳細は後述するが、装置ごとに異なるグラフィカルディスプレイモードは、時間シフトバッファディスプレイと番組メタデータディスプレイを含む。
【００１６】
留意すべきことは、オーディオ／ビデオデコーダ・エンコーダ２４とビデオ入力プロセッサ２２は別々のユニットとして実施してもよいことである。あるいは、オーディオ／ビデオデコーダ・エンコーダ２４とビデオ入力プロセッサ２２は、Ｃｈｒｙｓａｌｉｓハードウェアプラットフォーム等の単一のユニットとして実施してもよい。１３９４物理レイヤー（ＰＨＹ）２０もオーディオ／ビデオデコーダ・エンコーダ２４に接続されている。本装置は、１３９４ＰＨＹにより１３９４ネットワークと接続でき、デジタルビデオ（ＤＶ）データを本装置に受け取り格納することができる。
【００１７】
本装置はハードディスク装置２６とＤＶＤレコーダ２８の２つの記憶装置を含む。一実施例において、ＤＶＤレコーダ２８はＤＶＤ＋ＲＷレコーダである。しかし、他の実施例では、ＤＶＤレコーダはＤＶＤ＋Ｒ、ＤＶＤ−Ｒ、またはＤＶＤ−ＲＷレコーダであってもよい。
【００１８】
ハードディスク装置２６中の記憶スペースの一部をバッファとして確保しておき、ユーザが選択した入力信号を連続的に格納するために使用する。このバッファはより具体的には時間シフトバッファである。その理由は、ユーザがこのバッファにより一時停止、巻き戻し、または入力信号の前の部分からの早送りをできるからである。時間シフトバッファとして確保されるスペースの大きさは、バッファ容量を決定するファクターである。符号化方式は時間シフトバッファの容量に影響を与える他のファクターである。例えば、圧縮レベルが高い符号化方式の場合、バッファ容量が増える。時間シフトバッファの大きさはユーザ入力により設定できる。時間シフトバッファの大きさは、１時間、２時間、３時間、６時間、またはその他の好適な大きさに設定できる。ハードディスク２６中の残りのスペースは追加記憶領域として使用できる。例えば、時間シフトバッファの内容をこの追加記憶領域に転送することもできる。さらに、カメラ記録、ダイレクト記録、またはＤＶＤディスクからのＤＶＤ画像を、ハードディスク２６上の時間シフトバッファとして確保されていないスペースに格納してもよい。
【００１９】
ＤＶＤレコーダ２８２を用いてより多くの永続的記憶を提供する。例えば、ハードディスク装置２６の内容はＤＶＤレコーダ２８によりＤＶＤディスクに記録される。さらに、ユーザが選択した入力信号もＤＶＤレコーダ２８によりＤＶＤディスクに記録される。
【００２０】
オーディオ／ビデオデコーダ・エンコーダ２４とＩＯマトリックススイッチ６の間に、電子番組ガイド（ＥＰＧ）部１４が接続されている。ＥＰＧ部１４は、入力信号に含まれるＥＰＧ情報を取り出し、内部キャッシュに記憶する。入力信号がアナログテレビジョン信号である場合、ＥＰＧ情報は入力信号の垂直帰線期間に含まれている。入力信号がデジタル信号である場合、ＥＰＧ情報は別のチャンネルまたはサイドバンド含まれている。例えば、デジタルビデオ放送（ＤＶＢ）フォーマットでは、ＥＰＧ情報はイベント情報テーブル（ＥＩＴ）に含まれている。
【００２１】
動作中、ＥＰＧ部１４は取り出した情報を使用して、ＥＰＧディスプレイ要のグラフィックスを生成する。ＥＰＧ部１４によりＥＰＧグラフィックスが出力信号のビデオ成分に挿入される。ＥＰＧはディスプレイ上に表示されてもよい。動作中、さらに、ＥＰＧ部１４は、ＥＰＧが挿入されていない時もビデオ成分をＩＯマトリックススイッチ６に戻す。さらに、ＥＰＧ部１４は、記録されている番組に関する情報もコントローラに供給する。この情報には、番組名、ジャンル、開始時間、番組の長さが含まれるが、これに限定されない。
【００２２】
コントローラ１６が含まれていて、装置内のチューナ４、ＩＯマトリックス６、ＥＰＧ部１４、オーディオ／ビデオデコーダ・エンコーダ２４等のいろいろな要素を制御する。本装置のフロントパネル１８は、バス３４によりコントローラ１６に接続されている。フロントパネル１８は、ディスプレイとキーを含む。そのディスプレイは、現在記録されている番組等の装置に関する情報を表示する。キーは、リモコンについているキーと同様のものであり、チャンネル変更キーやＥＰＧナビゲーションキー等である。
【００２３】
動作中、ユーザ入力がリモコンまたはフロントパネル１８を介してコントローラ１６に送られる。図から分かるように、コントローラ１６は他のバス３０によりＩＯマトリックススイッチ６に接続されている。動作中、コントローラ１６は、ユーザ入力に基づいてどの入力信号を選択するかをＩＯマトリックススイッチ６に指示する。コントローラ１６も他のバス３６によりチューナ４に接続されている。コントローラ１６は、ユーザ入力に基づきチューナ４のチャンネルを設定する。コントローラ１６も他のバス３２によりＥＰＧ部１４に接続されている。動作中、コントローラ１６は、ＥＰＧ部１４を起動及び停止させる。コントローラ１６は、ユーザがＥＰＧナビゲーションキーを介して入力したナビゲーションコマンドを、ＥＰＧ部１４に中継する。これにより、ユーザは表示されているＥＰＧを上下にスクロールすることができる。ＥＰＧ部１４は、記録されている番組の番組名、ジャンル、開始時間、番組の長さ等のＥＰＧ情報をコントローラ１６に供給する。これにより、コントローラ１６は入力信号においていつ番組が変化したかを検出することができる。
【００２４】
コントローラ１６もオーディオ／ビデオデコーダ・エンコーダ２４に接続されている。コントローラ１６は、入力信号の符号化と出力信号の復号をいつするか、オーディオ／ビデオデコーダ・エンコーダ２４に指示する。コントローラ１６は、オーディオ／ビデオデコーダ・エンコーダ２４にＥＰＧ情報を提供し、そのＥＰＧ情報もハードディスク装置２６に格納する。前述したように、この情報には記録されている番組の番組名、ジャンル、開始時間、長さが含まれている。
【００２５】
コントローラ１６は、入力信号におけるチャンネル変化や番組変化等の変化について、オーディオ／ビデオデコーダ・エンコーダ２４にも通知する。このように、動作中、オーディオ／ビデオデコーダ・エンコーダ２４は、一定の条件が満たされると、次に、これらの変化がどこで起こったかを示す番組マーカをハードディスク装置２６のバッファに挿入する。この動作の詳細は以下で詳しく説明する。
【００２６】
コントローラ１６は、プログラマブルマイクロプロセッサにより実施される。さらに、バス３０、３２、３４、３６は、Ｉ２Ｃバス等の標準バスにより実施される。
【００２７】
動作中、ユーザは、リモコンまたはフロントパネル１８により、本装置で記録すべき入力信号を選択する。前述のように、チューナ４からのテレビジョン信号またはコネクタ８からの別の信号のいずれかを選択することができる。チューナ４が選択された場合、ユーザは、リモコンまたはフロントパネル１８により、記録すべきチャンネルを選択する。コントローラ１６は、チューナ４のチャンネルをユーザが選択したチャンネルに設定する。コントローラ１６は、チューナ４から入力を受けるようにＩＯマトリックススイッチ６に指示する。このように、選択されたチャンネルに対応するオーディオ信号成分とビデオ信号成分は、ＩＯマトリックススイッチ６に入力される。ＩＯマトリックススイッチ６は、次に、オーディオ成分をアナログ・デジタルコンバータ１０に送り、ビデオ成分をビデオ入力プロセッサ２２に送る。
【００２８】
ＥＰＧ部１４は、選択されたチャンネルに関連するＥＰＧ情報を取り出し始め、この情報をコントローラ１６に供給する。前述したように、この情報には記録されている番組の番組名、ジャンル、開始時間、長さが含まれている。アナログ・デジタルコンバータ１０は、オーディオ成分をデジタル信号に変換する。ビデオ入力プロセッサ２２はビデオ成分を処理する。その処理にはそのビデオ成分のデジタルへの変換も含む。アナログ・デジタルコンバータ１０とビデオ入力プロセッサ２２からのデジタル出力は、オーディオ／ビデオデコーダ・エンコーダ２４に送られる。オーディオ／ビデオデコーダ・エンコーダ２４は、コントローラ１６の指示に基づきこれらの入力の圧縮を開始する。
【００２９】
圧縮後、オーディオ／ビデオデコーダ・エンコーダ２４からのオーディオ成分とビデオ成分はハードディスク装置２６に出力され、コントローラ１６からのＥＰＧ情報とともに時間シフトバッファに格納される。上述したように、入力信号は連続的に処理され、時間シフトバッファの容量がいっぱいになるまで、時間シフトバッファに格納される。そのバッファの容量がいっぱいになると、入力信号の最も古い部分が破棄され、より新しい部分が記憶される。
【００３０】
さらに、コントローラ１６が番組変化を検出すると、オーディオ／ビデオデコーダ・エンコーダ２４が時間シフトバッファに番組マーカを挿入する。番組変化には、ユーザが入力信号のチャンネルを変更した場合と、同一のチャンネルで新しい番組が始まった場合とがある。
【００３１】
例えば、ユーザがチャンネル変化を要求すると、コントローラ１６は、ユーザが要求したチャンネルにチューナ４のチャンネルを合わせる。コントローラ１６は、オーディオ／ビデオデコーダ・エンコーダ２４に、時間シフトバッファにおいて、変化が生じたポイントに番組マーカを挿入するように指示する。一実施例では、チューナ４が新しいチャンネルにどんなに長く同調していようとも番組マーカを挿入する。しかし、別の実施例では、チューナ４が新しいチャンネルに所定時間同調し、新しい番組がその所定時間より長い場合にのみ番組マーカが挿入される。この所定時間は、例えば、２０秒、３０秒、６０秒、または１２０秒である。
【００３２】
動作中、同じチャンネルで新しい番組が始まると、ＥＰＧ部１４がその新しい番組に関する情報をコントローラ１６に提供する。これにより、コントローラ１６はこの番組変化を検知することができる。コントローラ１６は、オーディオ／ビデオデコーダ・エンコーダ２４に、時間シフトバッファにおいて、番組変化が生じたポイントに番組マーカを挿入するように指示する。一実施例では、新しい番組の長さがどんなに長くても番組マーカを挿入する。しかし、別の実施例では、その新しい番組が所定時間より長い場合にのみ番組マーカを挿入する。この所定時間は、例えば、２０秒、３０秒、６０秒、または１２０秒である。
【００３３】
時間シフトバッファに入力信号を記憶するとき、他の情報を含めてもよい。一実施例において、番組マーカと圧縮されたオーディオ成分と同じく圧縮されたビデオ成分とともに、特徴ポイント情報（ＣＰＩ）ファイルを時間シフトバッファに格納してもよい。ＣＰＩファイルは、オーディオ情報、ビデオ情報、及び番組マーカがハードディスク装置２６上でどのように構成されているかを記述する。これにより、情報にランダムアクセスできるようになり、早送りや巻き戻しモードを使用できるようになる。ＣＰＩファイルは、入力信号のどの部分がコピープロテクションされており、どの圧縮モードが使用されているかも示す。
【００３４】
上述のように、ユーザがチャンネルを切り換えたり同一チャンネルで新しい番組が始まったりした時に、時間シフトバッファに挿入された番組マーカは、入力信号に番組変化があったことを示す。ユーザは、これらの番組マーカにより、時間シフトバッファ内ですばやくナビゲーションすることができる。例えば、ユーザはマーカからマーカにジャンプして、時間シフトバッファに記録された異なる番組を見ることができる。一実施例では、早送りや巻き戻しの動作を使用するのではなく、リモコン上の１つのボタンを使って、マーカからマーカに動くことができる。
【００３５】
パーソナルビデオ記録装置の異なるグラフィカルディスプレイモードの例を図２に示した。図から分かるように、この実施例には４つの状態がある。「ＯＳＤなし」状態においては、グラフィックスは表示されない。「デフォルトＴＳＢ」状態においては、図３に示したように、デフォルトの時間シフトバッファ（ＴＳＢ）がグラフィカルに表示される。「拡張ＴＳＢ」状態においては、図４に示したように、拡張されたＴＳＢがグラフィカルに表示される。
【００３６】
「番組メタデータ」状態においては、図５−６に示したように、選択された番組に関する情報が表示される。これらのモードにおいて、グラフィックスはビデオに対して透明に表示してもよい。
【００３７】
図２の状態に関して、ユーザがリモコン上のキーを押すか、時間が経過することにより１つの状態から他の状態に遷移する。「ＯＶＥＲＶＩＥＷ」キーを押すと、システムはどの状態からでも「拡張ＴＳＢ」状態に行く。その「拡張ＴＳＢ」状態で「ＢＡＣＫ」キーを押すと、システムは「ＯＶＥＲＶＩＥＷ」キーが押される前にいた状態に戻る。
【００３８】
同様に、「ＭＯＲＥ−ＩＮＦＯ」キーを押すと、システムはどの状態からでも「番組メタデータ」状態に行く。その「拡張ＴＳＢ」状態で「ＢＡＣＫ」キーを押すと、システムは「ＭＯＲＥ−ＩＮＦＯ」キーが押される前にいた状態に戻る。システムが「番組メタデータ」状態または「ＯＳＤなし」状態にあるとき、ユーザが時間シフトを起動すると、システムは最後に提示されたＴＳＢ状態（「デフォルトＴＳＢ」または「拡張ＴＳＢ」のいずれか）に行く。システムがすでにＴＳＢ状態の１つにあるときは、システムの状態は同じ状態に留まる。ＯＳＤが表示されている状態でユーザがＩＮＦＯキーを押すと、システムは「ＮｏＯＳＤ」状態に行き、スクリーンからグラフィカルディスプレイが全て消える。ユーザが時間シフトバッファをナビゲーションしていない限り、システムを操作しないと、一定時間後にグラフィカルディスプレイは消される。
【００３９】
デフォルトＴＳＢの一例を図３に示した。図から分かるように、デフォルトＴＳＢは所定方向に伸びたバー３８を含む。この例では、バー３８は水平に伸びている。しかし、垂直方向や斜め方向などその他の方向でもよい。バー３８は、ハードディスクドライブの時間シフトバッファに格納された番組のグラフィカル表示である。この例では、番組はバー３８の右から左に格納されている。バー３８の長さは「３６０」ピクセルである。３時間のＴＳＢＴＳＢにおいて１ピクセルは記録データの１分に対応する。高精細度ディスプレイの場合、バー３８の長さは「２０２４」ピクセルであってもよい。
【００４０】
バー３８は、ハードディスク装置の時間シフトバッファに格納された異なる番組を表すマーカ５０により、番組セクション３８Ａ、３８Ｂ、３８Ｃ、３８Ｄに分割されている。マーカ５０の位置は、ハードディスク装置の時間シフトバッファに挿入された番組マーカに対応する。前述のように、チャンネルまたは番組が変わると、番組マーカが挿入される。
【００４１】
番組セクション３８Ａ、３８Ｂ、３８Ｃ、３８Ｄは、機能ごとに色分けされている。ここでの説明では、色分けとは、異なる色の使用と、異なるパターン（ドットや線など）の使用と、色とパターンの組み合わせとを意味する。例えば、番組セクション３８Ａ、３８Ｂ、３８Ｃ、３８Ｄは、スポーツ、ニュース、コメディ等の格納された番組のジャンルを表すように色分けされている。例えば、青はスポーツ、黄色はニュース、そして緑はコメディに対応している。番組セクション３８Ａ、３８Ｂ、３８Ｃ、３８Ｄを色分けして、記録時に信号が来ていなかったことを示してもよい。時間シフトバッファはリアルタイムバッファなので、本装置は信号が無いからといって単に停止することはできない。よって、このような状況では、何も記録されず、この時間に対応する番組セクションは他の色（例えば黒）で色分けされる。
【００４２】
さらに、番組セクション３８Ａ、３８Ｂ、３８Ｃ、３８Ｄは、番組がコピープロテクションされていることを示す色分けをしてもよい。この色分けは、その番組をハードディスクにコピーすることができないことを示す。番組の一部のみがコピープロテクションされていることもあり、それもバーに反映させることができる。コピープロテクション属性には２種類（「コピーワンス」と「コピー禁止」）があり、必要ならこの種類の違いを示してもよい。一実施例において、コピープロテクションは、番組セクションの長さにわたる小さな四角形で示してもよい。
【００４３】
さらに、番組セクション３８Ａ、３８Ｂ、３８Ｃ、３８Ｄは、番組が保存されていることを示す色分けをしてもよい。通常、一定の時間に番組名はバッファから落ちるが、ユーザの要求により保存することができる。それゆえ、保存すべき番組は別の色（例えば赤）で色分けする。
【００４４】
図からさらに分かるように、上記の各番組セクション３８Ａ、３８Ｂ、３８Ｃ、３８Ｄは番組名である。番組名を表示するスペースは限られているので、番組名を表示するルールが幾つか決まっている。番組名が利用可能なスペースに合う場合、番組名全体を表示する。利用できるピクセルが４０ピクセルより少ない場合、番組名はまったく表示されない。利用可能なスペースに３文字以上入らない場合、番組名はまったく表示されない。番組名はできるだけ表示される。
【００４５】
デフォルトＴＳＢは再生ポインタ４４も含む。再生ポインタ４４は、再生または表示されているＴＳＢの部分を指示している。この例では、現在のチューナ信号が表示されている場合、再生ポインタ４４はバー３８の一番右側に表示される。動作中、ユーザがＴＳＢをナビゲーションする方法はいくつかある。右向きまたは左向きの矢印を１回押すと、その矢印キーの向きに１フレームだけ再生ポインタが動く。矢印キーを押し続けると、再生ポインタが動くスピードが速くなる。ＴＳＢ全体を１０秒で移動する。
【００４６】
ＮｅｘｔまたはＰｒｅｖｉｏｕｓキーを押すと、番組名／チャプタ（Ｔ／Ｃ）の好みの状態に応じて、チャプタマーカまたは番組名マーカにジャンプする。この好みは、リモコン上のＴ／Ｃキーを押すことにより切り換えることができる。Ｎｅｘｔキーを押すと次のチャプタ／番組の始めに移動し、Ｐｒｅｖｉｏｕｓキーを押すと現在の番組の始めに移動する。５秒以内にＰｒｅｖｉｏｕｓキーをもう一度押すと、前の番組／チャプタに移動する。
【００４７】
Ｕｐ／Ｄｏｗｎ矢印キーにより再生ポインタは次または前の番組の始めに移動する。Ｓｋｉｐキーによりユーザが指示した時間だけ再生ポインタが前または後ろに移動する。ユーザは、０から３００秒の間で前方または後方スキップ時間を独立に指示することができる。トリックモードを用いて、早送り、早戻し、遅送り、遅戻し等をすることもできる。戻りモードでバッファの始めに到達した場合、システムは通常の再生に戻る。時間シフトバッファの終わりに到達したら、現在記録されているチューナ信号が表示される。
【００４８】
バー３８の端には開始時間グラフィック４０と終了時間グラフィック４２がある。時間シフトバッファがいっぱいでなければ、開始時間は本装置が記録を開始した時間である。バッファがいっぱいになっている場合、開始時間は、最も古い記録の時間、つまり現在時刻から時間換算したバッファの大きさを引いた時間である。この例では、開始時間は左側である。終了時間は現在の記録の時間に対応する。
【００４９】
バー３８の端には、インフローアニメーション４６とアウトフローアニメーション４８がある。インフローアニメーション４６は、時間シフトバッファの入るデータの方向に移動し、アウトフローアニメーション４８は、時間シフトバッファから出て行くデータの方向に移動する。この例では、インフローアニメーション４６とアウトフローアニメーション４８はともに左に動く。ＴＳＢがいっぱいになっておらず、データが出ていかない場合には、アニメーションは停止する。バッファの終わりにある番組が保存すべくマークされている場合、アニメーションは青ではなく赤になる。さらに、バッファの始めにある番組が保存すべくマークされている場合、アニメーションは青ではなく赤になる。
【００５０】
拡張ＴＳＢの一例を図４に示した。図から分かるように、拡張ＴＳＢは、番組情報リスト５２が含まれていること以外はデフォルトＴＳＢと同じである。番組情報リスト５２は、番組セクション３８Ａ、３８Ｂ、３８Ｃ、３８Ｄの各々に対応する番組に関する情報を含む。この例では、番組情報は、各番組のチャンネル、番組名、開始時間を含んでいる。番組名が入りきらない場合、括弧（）に入れて表示され、番組名は実際にはもっと長いことを示す。番組が保存すべきものとしてマークされている場合、それはチャンネルと番組名の間に点を打つことにより示す。
【００５１】
番組メタデータの一例を図５に示した。このモードでは、現在再生されている番組のメタデータが表示される。図から分かるように、番組名は左上にある。番組のジャンルは右上にある。番組が提供されたチャンネルは左下にある。番組の記録日付（生番組の場合、今日の日付）はチャンネル名の右にある。
【００５２】
番組の開始時間は記録日の右である。これは番組が始まる時間を示す。番組の終了時間は開始時間の右である。これは番組が終わる時間を示す。番組が生番組の時は、終了時間は空欄になる。他の実施形態は、ＥＰＧ終了時間、プログラムされた終了時間、または現在時間を含んでもよい。
【００５３】
番組メタデータの他の一例を図６に示した。図から分かるように、このディスプレイは、拡張番組情報領域があることを除いて、前のディスプレイと同じである。この拡張領域は、番組の概要等の追加情報用のスペースを提供する。
【００５４】
実施例により本発明を説明したが、言うまでもなく、本発明をここに開示した例に限定するものではない。それゆえ、本発明は添付したクレームの精神と範囲内に含まれるいろいろな構成及び修正をカバーするものである。
【図面の簡単な説明】
【００５５】
【図１】本発明によるパーソナルビデオ記録装置の一実施例を示すブロック図である。
【図２】パーソナルビデオ記録装置の異なるグラフィカルディスプレイモードの例を示す図である。
【図３】本発明による時間シフトバッファディスプレイの一例を示す図である。
【図４】本発明による時間シフトバッファディスプレイの他の一例を示す図である。
【図５】本発明による番組メタデータディスプレイの一例を示す図である。
【図６】本発明による番組メタデータディスプレイの他の一例を示す図である。
【図１】
2007523432.tif 000003
【図２】
2007523432.tif 000004
【図３】
2007523432.tif 000005
【図４】
2007523432.tif 000006
【図５】
2007523432.tif 000007
【図６】
2007523432.tif 000008
【国際調査報告】
2007523432.tif 000009
2007523432.tif 000010
2007523432.tif 000011
2007523432.tif 000012
2007523432.tif 000013